(57)【要約】【課題】本発明の料金所設備は、交替作業時の管理者の負担を低減することができる。【解決手段】本発明の料金所設備１は、走行レーンＬの側部に設けられ、料金所通行の料金収受に関する操作を行う操作者のためのブース１０と、利用者が走行レーンＬ上を通行する車両から前記料金収受に関する操作が可能な第一操作部２２と、前記ブース１０内で前記操作者が前記料金収受に関する操作が可能な第二操作部と、第一操作部２２の第一操作情報と、記第二操作部の第二操作情報とをそれぞれに受信可能な上位制御部４０と、を備える。【選択図】図２
2015135549.tif 000002
【特許請求の範囲】
【請求項１】
走行レーンの側部に設けられ、料金所通行の料金収受に関する操作を行う操作者のためのブースと、
前記走行レーン上を通行する車両の搭乗者によって前記料金収受に関する操作が可能な第一操作部と、
前記ブース内で前記操作者が前記料金収受に関する操作が可能な第二操作部と、
前記第一操作部の第一操作情報と、前記第二操作部の第二操作情報とをそれぞれに受信可能な上位制御部と、を備える料金所設備。
【請求項２】
前記第一操作情報に基づいて、料金所通行に関する制御処理を行い、第一制御処理情報として前記上位制御部に出力する第一制御部と、
前記第二操作情報に基づいて、料金所通行に関する制御処理を行い、第二制御処理情報として前記上位制御部に出力する第二制御部と、を有し、
前記上位制御部は、前記第一制御処理情報と、前記第二制御処理情報と、前記第一操作情報と、前記第二操作情報とをそれぞれ受信可能となっており、これらの情報をまとめて管理する請求項１に記載の料金所設備。
【請求項３】
前記第一操作部を有する料金機械を備え、
前記第一操作部は、料金収受に関する投入物が投入され、または、料金収受に関する発行物を発行するための第一処理口を有し、
前記料金機械は、
前記第一処理口を前記走行レーンに面する前面に配置する筐体と、
前記投入物を処理する、または、前記発行物を発行するための処理をする第一処理部と、を有する請求項１又は２に記載の料金所設備。
【請求項４】
前記料金機械は、前記走行レーン上の車両の搭乗者から貨幣を収受するための料金自動収受機であって、
前記料金自動収受機は、貯留している貨幣を用いて利用者に対して貨幣の収受を行う貨幣処理部を有し、
前記操作者と対向する側面に、前記操作者が前記貨幣処理部から任意の金額の前記貨幣を入金または出金する操作が可能な入出金操作部を有する請求項３に記載の料金所設備。
【請求項５】
前記第一操作情報に基づいて、料金所通行に関する制御処理を行い、第一制御処理情報として前記上位制御部に出力する第一制御部と、
前記第二操作情報に基づいて、料金所通行に関する制御処理を行い、第二制御処理情報として前記上位制御部に出力する第二制御部と、
前記入出金操作部における入出金情報を前記上位制御部に出力する入出金制御部と、を有し、
前記上位制御部は、前記第一制御処理情報と、前記第二制御処理情報と、前記入出金情報と、前記第一操作情報と、前記第二操作情報とに基づいて、前記第二操作情報に誤りがあるか否かを確認する請求項４に記載の料金所設備。
【請求項６】
前記料金機械は、前記ブース内に配置され、前記第一操作部が前記走行レーンに露出させて配置される請求項３から請求項５のいずれか一項に記載の料金所設備。
【請求項７】
前記料金機械は、前記操作者と対向する側面に前記第二操作部を有し、
前記第二操作部は、料金収受に関する投入物が投入され、または、料金収受に関する発行物を発行するための第二処理口を有する請求項３から請求項６のいずれか一項に記載の料金所設備。
【請求項８】
前記料金機械は、前記第二処理口に接続されて、前記第一処理口から前記投入物または前記発行物を搬送する第一搬送路に合流される第二搬送路を有し、
前記第二処理口は、前記投入物または前記発行物が前記第一搬送路を搬送される方向に沿って、前記投入物を投入または前記発行物を発行する請求項７に記載の料金所設備。
【請求項９】
前記走行レーンを通行する車両に対して、前記第一操作部を遮蔽することが可能な遮蔽部を有する請求項３から請求項８のいずれか一項に記載の料金所設備。
【発明の詳細な説明】
【技術分野】
【０００１】
本発明は、料金所設備に関する。
【背景技術】
【０００２】
有料道路等の料金所や駐車場の出入口には料金を自動的に収受するための料金自動収受機が設置されている。このような料金自動収受機は、料金収受員を不要とし、車両の運転手等の利用者から現金やカードによる料金の支払いを受け付け、さらに必要に応じて釣銭の払い出しや領収書の発行などを自動で行う。
【０００３】
このような料金自動収受を設けた料金収受システムが、例えば特許文献１に開示されている。この料金収受システムは、有料道路の料金所の出口車線に設けられた車種判別装置や料金自動収受機において確認した通行券の情報に基づいて通行している車両が不正を行っていないかを効率的に判断している。具体的には、この料金収受システムは、車種判別装置として撮像機を有しており、何らかの異常が発見された場合には、撮像機の画像を料金自動収受機から遠隔地に設置された料金所事務所内のモニタテレビ等で監視員が確認することができる。そして、この画像に基づいて車種判定等を行い、通行料金の計算条件を再設定することができる。これにより、料金自動収受機による通行料金の自動収受が可能となり、監視員の監視負担の低減を図るとともに、料金収受に要する時間を短縮して、料金所出口における渋滞を緩和している。
【０００４】
そして、このような料金収受システムでは、料金自動収受機とともに収受員が手動で料金収受を行う有人ブースが設けられている場合がある。これにより、料金自動収受機が故障した場合には、有人ブースに収受員が出向いて手動によって料金収受を行い、走行レーンを閉鎖することなく継続的に料金所を使用している。
【先行技術文献】
【特許文献】
【０００５】
【特許文献１】特開２００３−２０３２５４号公報
【発明の概要】
【発明が解決しようとする課題】
【０００６】
しかしながら、このような有人ブースと料金自動収受機とが併設している有料道路の料金所では、有人ブースは、例えば、故障して料金自動収受機が使用できない場合に用いられる。例えば、このような場合に、有人ブースでの処理情報と、料金自動収受機での処理情報とを別々に取得して取り扱うことが、管理上煩雑となっている。
【０００７】
本発明は、上記課題を解決するためになされたものであって、管理者の負担を低減することが可能な料金所設備を提供することを目的とする。
【課題を解決するための手段】
【０００８】
上記課題を解決するために、本発明は以下の手段を提案している。
本発明の第一の態様における料金所設備は、走行レーンの側部に設けられ、料金所通行の料金収受に関する操作を行う操作者のためのブースと、前記走行レーン上を通行する車両の搭乗者によって前記料金収受に関する操作が可能な第一操作部と、前記ブース内で前記操作者が前記料金収受に関する操作が可能な第二操作部と、前記第一操作部の第一操作情報と、前記第二操作部の第二操作情報とをそれぞれに受信可能な上位制御部と、を備える。
【０００９】
このような料金所設備によれば、第一操作部及び第二操作部の異なる操作部で操作された処理内容を上位制御部によって一元管理することができる。即ち、第一操作部と第二操作部とで別々に操作した内容を、上位制御部において料金所設備全体として一括して容易に確認することができる。
【００１０】
また、本発明の他の態様における料金所設備は、前記第一操作情報に基づいて、料金所通行に関する制御処理を行い、第一制御処理情報として前記上位制御部に出力する第一制御部と、前記第二操作情報に基づいて、料金所通行に関する制御処理を行い、第二制御処理情報として前記上位制御部に出力する第二制御部と、を有し、前記上位制御部は、前記第一制御処理情報と、前記第二制御処理情報と、前記第一操作情報と、前記第二操作情報とをそれぞれ受信可能となっており、これらの情報をまとめて管理してもよい。
【００１１】
このような料金所設備によれば、料金所通行に関する制御処理を行った処理情報を第一制御処理情報や第二制御処理情報として取得することで、料金所設備を利用した車両のより多くの情報を取得することができる。したがって、処理情報についてより詳細な確認が可能となる。
【００１２】
さらに、本発明の他の態様における料金所設備は、前記第一操作部を有する料金機械を備え、前記第一操作部は、料金収受に関する投入物が投入され、または、料金収受に関する発行物を発行するための第一処理口を有し、前記料金機械は、前記第一処理口を前記走行レーンに面する前面に配置する筐体と、前記投入物を処理する、または、前記発行物を発行するための処理をする第一処理部と、を有してもよい。
【００１３】
このような料金所設備によれば、料金機械が第一操作部を備えていることで、料金所設備では無人による料金収受を行うことができる。そして、料金機械が故障した場合には、ブース内で操作者によって第二操作部を操作することで、料金所設備が設けられた走行レーンを閉鎖することなく継続して利用者に料金所を利用させることができる。したがって、料金機械を利用している間は、操作者が料金収受に関する処理業務を行う必要が無くなり、操作者の作業負担を軽減できる。加えて、料金機械が故障した場合であっても、利用者の利便性が低下してしまうことを軽減できる。
【００１４】
また、本発明の他の態様における料金所設備は、前記料金機械が、前記走行レーン上の車両の搭乗者から貨幣を収受するための料金自動収受機であって、前記料金自動収受機は、貯留している貨幣を用いて利用者に対して貨幣の収受を行う貨幣処理部を有し、前記操作者と対向する側面に、前記操作者が前記貨幣処理部から任意の金額の前記貨幣を入金または出金する操作が可能な入出金操作部を有してもよい。
【００１５】
このような料金所設備によれば、ブース内にある料金自動収受機から貨幣を引き出すことで、第二操作部で使用する貨幣を確保することができる。そのため、操作者は、事前に料金所事務所などのブースから遠く離れた場所から第二操作部で使用する貨幣を運びこむ必要がなくなる。ブースにて処理を行う場合には、釣銭等の貨幣をブース外へ収受員が持ち歩くことで紛失、盗難の危険性がある。しかしながら、上記料金所設備では、ブースから遠く離れた料金所事務所からの移動中に貨幣を紛失してしまうリスクを低減することができる。これにより、管理者の負担をより容易に低減することができる。
【００１６】
さらに、本発明の他の態様における料金所設備は、前記第一操作情報に基づいて、料金所通行に関する制御処理を行い、第一制御処理情報として前記上位制御部に出力する第一制御部と、前記第二操作情報に基づいて、料金所通行に関する制御処理を行い、第二制御処理情報として前記上位制御部に出力する第二制御部と、前記入出金操作部における入出金情報を前記上位制御部に出力する入出金制御部と、を有し、前記上位制御部は、前記第一制御処理情報と、前記第二制御処理情報と、前記入出金情報と、前記第一操作情報と、前記第二操作情報とに基づいて、前記第二操作情報に誤りがあるか否かを確認してもよい。
【００１７】
このような料金所設備によれば、料金所設備として処理した内容が把握でき、操作者が操作する第二操作部における操作内容に誤りや不正等の問題がなかったかを容易に検出することができる。
【００１８】
また、本発明の他の態様における料金所設備は、前記料金機械が、前記ブース内に配置され、前記第一操作部が前記走行レーンに露出させて配置されてもよい。
【００１９】
このような料金所設備によれば、料金機械がブース内にあることで、第二操作部を操作する操作者と近い位置に配置することとなる。そのため、故障中に料金機械の第一操作部の前方に利用者が車両を誤って止めてしまったとしても、再度車両を移動させることなく、操作者が利用者に対して料金収受を行うことができる。そのため、利用者の利便性を向上させることができる。
【００２０】
さらに、本発明の他の態様における料金所設備は、前記料金機械が、前記操作者と対向する側面に前記第二操作部を有し、前記第二操作部は、料金収受に関する投入物が投入され、または、料金収受に関する発行物を発行するための第二処理口を有していてもよい。
【００２１】
このような料金所設備によれば、第二操作部が料金機械の側面に配置されていることで、第一操作部が設けられている料金機械を共用することができる。即ち、第二操作部を有する別の機械を準備する必要が無くなり、料金機械を利用することができるため、操作者は事前に料金所事務所などのブースから遠く離れた場所から第二操作部で使用する貨幣を運びこむ必要がなくなる。ブースにて処理を行う場合には、釣銭等の貨幣をブース外へ収受員が持ち歩くことで紛失、盗難の危険性がある。しかしながら、上記料金所設備では、ブースから遠く離れた料金所事務所からの移動中に貨幣を紛失してしまうリスクを低減することができる。これにより、管理者の負担をより容易に低減することができる。
【００２２】
また、本発明の他の態様における料金所設備は、前記料金機械が、前記第二処理口に接続されて、前記第一処理口から前記投入物または前記発行物を搬送する第一搬送路に合流される第二搬送路を有し、前記第二処理口は、前記投入物または前記発行物が前記第一搬送路を搬送される方向に沿って、前記投入物を投入または前記発行物を発行してもよい。
【００２３】
このような料金所設備によれば、第二操作部の第二処理口から投入される投入物や発行される発行物を第一搬送路に第二搬送路を介して向きを変更させることなく容易に合流させることができる。そのため、第一搬送路に合流する第二搬送路を第二処理口に接続させることで、第一搬送路を利用して第一処理部を容易に共通使用することができる。したがって、複雑な搬送経路を形成しなくとも、第一処理部を容易に共用化することができる。これにより、筐体の側面に第二操作部を設ける設置負担をより一層低減することができる。
【００２４】
さらに、本発明の他の態様における料金所設備は、前記走行レーンを通行する車両に対して、前記第一操作部を遮蔽することが可能な遮蔽部を有してもよい。
【００２５】
このような料金所設備によれば、料金機械が故障して使用できない場合に、走行レーンを走行する車両に搭乗している利用者に対して料金機械が使用できないことを容易に通知することができる。
【発明の効果】
【００２６】
本発明の料金所設備によれば、第一操作部の第一操作情報と第二操作部の第二操作情報との異なる操作部における操作の情報を一元管理することで、管理者の負担を容易に低減することができる。
【図面の簡単な説明】
【００２７】
【図１】本発明の第一実施形態における料金所設備が設置されている有料道路の出口料金所の様子を示す模式図である。
【図２】本発明の第一実施形態における料金所設備を示す模式図である。
【図３】本発明の第一実施形態における料金所設備における処理を示す機能ブロック図である。
【図４】本発明の第二実施形態における料金所設備を示す模式図である。
【図５】本発明の第二実施形態における料金所設備における処理を示す機能ブロック図である。
【図６】本発明の第三実施形態における料金所設備を示す模式図である。
【図７】本発明の第三実施形態における料金所設備における処理を示す機能ブロック図である。
【図８】本発明の第三実施形態における第一搬送路及び第二搬送路を示す模式図である。
【発明を実施するための形態】
【００２８】
《第一実施形態》
以下、本発明に係る第一実施形態について図１から図３を参照して説明する。
図１に示すように、第一実施形態の料金所設備１は、有料道路の出口料金所に設置されている。料金所設備１では、走行レーンＬ上を通行する車両Ｃの搭乗者である利用者に対して料金所通行に関する処理が利用者や収受員によって行われる。
【００２９】
本実施形態における料金所設備１は、料金所通行の料金収受に関する操作を行う操作者である収受員のためのブース１０と、車両Ｃの搭乗者が料金所通行に関する処理を行うために操作可能な第一操作部２２を有する料金自動収受機２０と、収受員がブース１０内で料金所通行に関する処理を行うために操作可能な第二操作部３１を有する料金処理機３０と、第一操作部２２を有する料金自動収受機２０からの情報と第二操作部３１を有する料金処理機３０からの情報をそれぞれ受信可能な上位制御部４０と、を備えている。
【００３０】
ブース１０では、利用者から貨幣やカード等を受け取った収受員によって料金所通行の料金処理に関する処理を行う業務が行われる。ブース１０は、二つの隣接する走行レーンＬに挟まれたアイランドＩ上に設けられている。
【００３１】
アイランドＩは、車両Ｃが通行する走行レーンＬから段差を介して路面よりも１段高い島形状に形成されている。アイランドＩを中心として、車両Ｃの進行方向の左側である一方の走行レーンＬを第一走行レーンＬ１、車両Ｃの進行方向の右側である他方の走行レーンＬを第二走行レーンＬ２とする。アイランドＩは、第一走行レーンＬ１と第二走行レーンＬ２に挟まれており、第一走行レーンＬ１及び第二走行レーンＬ２の前後方向に沿って、幅方向よりも前後方向の方が長く形成されている。
第一走行レーンＬ１及び第二走行レーンＬ２は、本実施形態では、通行する車両Ｃを同じ方向に向かって進行させる。
【００３２】
本実施形態におけるブース１０は、収受員が内部に待機可能な第一走行レーンＬ１の側部に設けられた小屋である。ブース１０は、第一走行レーンＬ１及び第二走行レーンＬ２とアイランドＩとの境界から建築限界として定められる所定の間隔だけ離れた位置に面して配置されている。即ち、ブース１０は、アイランドＩの幅よりも小さい幅で第一走行レーンＬ１の前後方向に沿って延びる直方箱型形状を有している。ブース１０は、内部の収受員が第一走行レーンＬ１を通行する車両Ｃの利用者と貨幣等の受け渡し等を行うために開口されている開口部１１と、開口部１１よりも車両Ｃが進行してくる手前側である第一走行レーンＬ１の前後方向の後方側に形成されて料金自動収受機２０を露出させて設置するための設置用凹部１２とを有している。
【００３３】
開口部１１は、第一走行レーンＬ１に面する側面の一部が矩形状に開口して形成されている。本実施形態における開口部１１は、扉と一体に形成されており、収受員が内部に出入りする際にも使用される。
設置用凹部１２は、開口部１１に対して第一走行レーンＬ１の前後方向の後方側に形成されるスペースである。設置用凹部１２は、ブース１０の第一走行レーンＬ１に面する側面から開口してブース１０の内部を露出させている。そして、設置用凹部１２は、料金自動収受機２０が収容可能なスペースとなっており、第一走行レーンＬ１を通行する車両Ｃに対して料金自動収受機２０を露出させて設置可能となっている。
【００３４】
図２に示すように、料金自動収受機２０は、ブース１０の側面に面して、第一走行レーンＬ１とアイランドＩとの境界から建築限界として定められる所定の間隔だけ離れた位置であるブース１０の設置用凹部１２に配置されている。そして、第一走行レーンＬ１上を通行する車両Ｃは料金自動収受機２０と対面する位置で境界に幅寄せして停車される。料金自動収受機２０は、当該車両Ｃに搭乗した利用者によって操作されることで、貨幣の収受等の料金所通行の料金収受に関する処理を無人で行うことが可能な料金機械である。料金自動収受機２０は、料金自動収受機２０の外装である筐体２１と、利用者によって操作が行われる第一操作部２２と、第一操作部２２によって操作された情報に基づいて料金所通行の料金収受に関する制御処理を行う第一制御部２３と、第一制御部２３の制御処理に基づいて筐体２１の内部で料金収受に関する処理を行う第一処理部２４と、を備えている。
【００３５】
筐体２１は、鉛直方向の上下方向に延びる直方状をなしており、第一走行レーンＬ１の幅方向に面するようアイランドＩ上に配置されている。筐体２１は、第一走行レーンＬ１の幅方向を向いて鉛直方向に延びる面を前面２１ａとしている。ここでいう筐体２１の前面２１ａは、第一走行レーンＬ１を通行する車両Ｃの進行方向の右側面に対向する面である。筐体２１は、前面２１ａがアイランドＩの幅方向の端部から建築限界として法律で定められた所定の間隔として、例えば、２５０ｍｍ以上を内側になるよう配置されている。
【００３６】
第一操作部２２は、利用者が第一走行レーンＬ１上を通行する車両Ｃから料金収受に関する操作が可能とされている。本実施形態において第一操作部２２によって行われる料金収受に関する操作とは、各処理口や各ボタンを通じて、料金所を通行するために料金自動収受機２０に対して金銭の収受、通行券・領収書のやり取りや収受員の呼び出し等を行う操作である。即ち、第一操作部２２は、第一走行レーンＬ１上を通行する車両Ｃに搭乗した運転手等の利用者が、料金自動収受機２０を利用する際に操作する操作端末である。第一操作部２２は、これらの利用者によって操作された情報を不図示のセンサによって検出して第一操作情報Ｄ１として、第一制御部２３や上位制御部４０に出力する。第一操作部２２は、通行する車両Ｃの車高に応じて利用し易いように筐体２１の前面２１ａの鉛直方向の上段操作部と下段操作部とに一部を除き同じ構成が設けられている。
【００３７】
上段操作部及び下段操作部に共通の構成として、第一操作部２２は、料金自動収受機２０に対して料金収受に関する投入物として金銭や通行券等が投入され、または料金収受に関する発行物として通行券や領収書や釣銭を発行する第一処理口２２０を有している。
本実施形態における第一処理口２２０は、紙幣が挿入または返却される紙幣挿入口２２０ａと、通行券が挿入される通行券挿入口２２０ｃと、硬貨の投入を行う硬貨投入口２２０ｄと、硬貨の受け取りを行う釣銭返却口２２０ｅと、クレジットカード等を挿入するカード挿入口２２０ｆと、領収書を外方に送り出す領収書発行口２２０ｇと、を有している。
また、第一操作部２２は、異常時等に収受員を呼び出す収受員呼び出しボタン２２２と、領収書の発行指示を受け付ける領収書発行ボタン２２３と、を有している。
【００３８】
なお、本実施形態における紙幣挿入口２２０ａは、紙幣を挿入する処理口と返却する処理口とが一体に設けられているが、この構造に限定されるものではない。例えば、紙幣が挿入される紙幣挿入口と紙幣が返却される紙幣返却口とのように、別々の処理口として設けられていてもよい。
【００３９】
さらに、下段操作部のみの構成として、第一操作部２２は、利用者が上肢の不自由な身体障害者である場合に、係員に支援を求めるための入力動作が可能な身障者レバー２２４と、身体障害者に対する割引が適用される資格を有することを示す証明書を遠隔地の監視員に提示する証明書カメラ２２５とを有している。
【００４０】
ここで、本実施形態における第一操作情報Ｄ１とは、第一操作部２２が何らかの操作を行われたことを示す入力情報である。即ち、第一操作情報Ｄ１としては、例えば、第一処理口２２０である通行券挿入口２２０ｃに投入物である通行券が投入されたことを検出した情報や、領収書発行口２２０ｇから発行物である領収書が発行されたことを検出した情報を含んでいる。さらに、第一操作情報Ｄ１としては、異常時等に収受員を呼び出す等の各種ボタンが押された際に押されたボタンからの入力情報も含んでいる。
【００４１】
図３に示すように、第一制御部２３は、第一操作部２２の第一処理口２２０の不図示のセンサが投入される投入物や発行される発行物を検出することで、検出された第一処理口２２０に対応する第一処理部２４に対して料金所通行の料金収受に関する制御処理を行う。第一制御部２３は、制御処理した情報を第一制御処理情報Ｄ１０として上位制御部４０に出力する。本実施形態の第一制御部２３は、挿入された通行券に基づいて制御処理を行う通行券制御部２３１と、投入された貨幣に基づいて制御処理を行う貨幣制御部２３２と、通行券制御部２３１や貨幣制御部２３２によって行われた制御情報や第一操作部２２の第一操作情報Ｄ１が入力される第一出力部２３３とを有している。
【００４２】
通行券制御部２３１は、第一操作部２２において通行券挿入口２２０ｃに通行券が挿入されたことを検出することで、料金収受に関する処理として通行券の磁気情報を読み取るように後述する第一処理部２４の通行券処理部２４１に対して指示する信号を出力する。また、通行券制御部２３１は、通行券処理部２４１が通行券から読み取った磁気情報が入力されると、この磁気情報から車種情報や通行距離に関する情報を取得する。通行券制御部２３１は、取得したこれらの情報に基づいて利用者が料金所を通行するために支払うべき料金を料金情報として算出する。通行券制御部２３１は、取得した車種情報や算出した料金情報を制御情報として第一出力部２３３に対して出力する。
【００４３】
貨幣制御部２３２は、第一操作部２２において紙幣挿入口２２０ａに紙幣が挿入されたり、硬貨投入口２２０ｄに硬貨が投入されたりすることを検出することで、料金収受に関する処理として貨幣の種類に応じて枚数を計数するように後述する第一処理部２４の貨幣処理部２４２に対して指示を送る。貨幣制御部２３２は、貨幣処理部２４２によって処理された貨幣の情報に基づいて、利用者によって投入された貨幣の金額を金額情報として算出する。貨幣制御部２３２は、この算出した金額情報と先の通行券制御部２３１において算出した料金情報との差額に基づき、釣銭がある場合に釣銭用の紙幣や硬貨を払い出すように再び貨幣処理部２４２に対して指示を送る。貨幣制御部２３２は、算出した金額情報を第一出力部２３３に対して出力する。
【００４４】
第一出力部２３３は、入力される各種情報を上位制御部４０に出力するとともに、筐体２１の前面２１ａに設けられた料金表示部２５に信号を出力して利用者に対して料金所通行に関する料金等の情報を表示する。第一出力部２３３は、第一操作部２２での操作によって料金自動収受機２０において行われた料金収受に関する処理の処理情報である第一制御処理情報Ｄ１０と、第一操作部２２の第一操作情報Ｄ１とを上位制御部４０に出力する。具体的には、本実施形態における第一出力部２３３は、入力される各種情報のうち、通行券制御部２３１において取得した車種情報や算出した料金情報と、貨幣制御部２３２において算出した貨幣の金額情報とを第一制御処理情報Ｄ１０として上位制御部４０に出力する。
【００４５】
第一処理部２４は、第一制御部２３からの制御処理に基づいて、料金収受に関する処理として第一処理口２２０から投入された投入物を処理する、または、第一処理口２２０に発行物を発行するための処理をする。本実施形態の第一処理部２４は、通行券挿入口２２０ｃから挿入された通行券を処理する通行券処理部２４１と、予め貯留しておいた貨幣を用いて利用者に対して貨幣の収受処理を行う貨幣処理部２４２とを有している。
【００４６】
通行券処理部２４１は、第一走行レーンＬ１上を通行する車両Ｃに搭乗する利用者によって通行券挿入口２２０ｃに挿入される通行券を処理する。通行券処理部２４１は、通行券制御部２３１から信号を受けると不図示の搬送路を介して、通行券挿入口２２０ｃに挿入された通行券を内部まで搬送する。通行券処理部２４１は、磁気ヘッドを有しており、通行券から磁気情報を読み取る。通行券処理部２４１は、読み取った磁気情報を通行券制御部２３１に出力する。
【００４７】
貨幣処理部２４２は、利用者によって投入される貨幣である紙幣や硬貨を受け取り、釣銭が必要な場合には予め貯留しておいた紙幣や硬貨を用いて利用者に対して必要な種類の紙幣や硬貨を払い出す還流式の貨幣処理装置である。本実施形態における貨幣処理部２４２は、紙幣挿入口２２０ａから挿入された紙幣を処理する紙幣処理部２４２ａと、硬貨投入口２２０ｄから投入された硬貨を処理する硬貨処理部２４２ｂとを有している。
【００４８】
紙幣処理部２４２ａは、第一走行レーンＬ１上を通行する車両Ｃに搭乗する利用者によって紙幣挿入口２２０ａに挿入される紙幣を処理する。紙幣処理部２４２ａは、貨幣制御部２３２からの信号を受けると不図示の搬送路を介して、紙幣挿入口２２０ａに挿入された紙幣を内部まで搬送する。紙幣処理部２４２ａは、挿入された紙幣の種類ごとの枚数を計数して、取得した枚数や種類である紙幣の情報を貨幣制御部２３２へ出力する。その後、貨幣制御部２３２からの信号に基づいて、紙幣挿入口２２０ａに釣銭として必要な枚数及び種類の紙幣を払い出す。
【００４９】
硬貨処理部２４２ｂは、第一走行レーンＬ１上を通行する車両Ｃに搭乗する利用者によって硬貨投入口２２０ｄに投入される硬貨を処理する。硬貨処理部２４２ｂは、貨幣制御部２３２からの信号を受けると、投入された硬貨の種類ごとに枚数を計数して、取得した枚数や種類である硬貨の情報を貨幣制御部２３２へ出力する。その後、貨幣制御部２３２からの信号に基づいて、釣銭返却口２２０ｅに釣銭として必要な枚数及び種類の硬貨を払い出す。
【００５０】
なお、本実施形態では一例として、料金自動収受機２０の第一制御部２３や第一処理部２４として通行券、紙幣、硬貨を処理するものとして挙げたが、これに限定されるものではない。即ち、料金自動収受機２０が有する他の投入物や発行物を処理するものであってもよい。例えば、第一制御部２３は、発行する領収書に関する制御処理を行う領収書制御部や、挿入されるクレジットカードに基づいて制御処理を行うカード制御部等の第一操作部２２に対応する制御処理を行う構成を有していてもよい。また、第一処理部２４は、カード挿入口２２０ｆから挿入されるクレジットカードを処理するカード処理機のようなカード処理部や、領収書発行口２２０ｇから発行される領収書を処理する領収書発行機のような領収書処理部等の第一操作部２２に対応する処理を行う構成を有していてもよい。
【００５１】
料金処理機３０は、操作者である収受員によって操作されることで、貨幣の収受等の料金収受に関する処理を利用者に対して行うことが可能なレジスター等の演算装置である。料金処理機３０は、ブース１０内において、第一走行レーンＬ１上を通行する車両Ｃに搭乗している利用者からは見え難い位置に配置されている。料金処理機３０は、収受員によって操作が行われる第二操作部３１と、第二操作部３１における操作情報に基づいて料金所通行に関する制御処理を実施する第二制御部３２と、第二制御部３２の制御処理に基づいて料金収受に関する処理を行う第二処理部３３とを備えている。
【００５２】
第二操作部３１は、第一走行レーンＬ１上を通行する車両Ｃに搭乗している利用者ではなく、ブース１０内で収受員によって操作可能とされている。本実施形態において第二操作部３１で行われる料金収受に関する操作とは、料金処理機３０に対して行う金銭の収受、通行券・領収書のやり取り等の操作である。具体的には、第二操作部３１は、例えば、レジスターに設けられるタッチパネルや機械式ボタンのように手動操作する入力端末や、通行券やクレジットカード等を挿入する処理口等を有している。第二操作部３１は、操作されることによって収受員が入力した入力情報を第二操作情報Ｄ２として、第二制御部３２や上位制御部４０に送る。
【００５３】
ここで、本実施形態における第二操作情報Ｄ２とは、第二操作部３１が何らかの操作を行われたことを示す入力情報である。第二操作情報Ｄ２としては、例えば、収受員がタッチパネルや機械式ボタンを操作することで入力された入力情報や、通行券やクレジットカードが挿入されたことを処理口のセンサが検出した情報を含んでいる。
【００５４】
第二制御部３２は、収受員によって操作された第二操作部３１の第二操作情報Ｄ２に基づいて、第二処理部３３に対して料金収受に関する制御処理を実施する。第二制御部３２は、制御処理した情報を第二制御処理情報Ｄ２０として、上位制御部４０に出力する。第二制御部３２は、料金収受に関する制御処理を行う料金制御部３２２と、料金制御部３２２で行われた制御情報や第二操作部３１の第二操作情報Ｄ２が入力される第二出力部３２３とを有している。
【００５５】
料金制御部３２２は、第二操作部３１の各種操作に基づく信号によって、対応する料金収受に関する処理を行うように後述する第二処理部３３に対して指示する信号を出力する。具体的には、本実施形態における料金制御部３２２は、第二操作部３１の不図示の処理口に通行券が挿入された場合には、第二処理部３３に対して通行券の磁気情報を読み取るように指示を送る。そして、第二処理部３３から読み取った磁気情報が入力されることで、磁気情報から車種情報や通行距離に関する情報を取得して、この取得した情報に基づいて利用者が料金所を通行するために支払うべき料金を料金情報として算出する。また、料金制御部３２２は、収受員がタッチパネルや機械式ボタンを操作することで入力した利用者から受け取った貨幣の金額の金額情報と先の算出した料金情報との差額に基づき、釣銭がある場合に釣銭額を算出する。料金制御部３２２は、これらの料金処理機３０における料金収受に関する処理を行った制御情報を第二出力部３２３に対して出力する。
【００５６】
第二出力部３２３は、料金制御部３２２から出力される各種情報を上位制御部４０に出力するとともに、不図示の表示装置に出力して収受員や利用者に対して料金所通行に関する料金等の情報を表示する。第二出力部３２３は、第二操作部３１での操作を介して料金処理機３０において行われた料金収受に関する処理情報である第二制御処理情報Ｄ２０と、第二操作部３１の第二操作情報Ｄ２とを上位制御部４０に出力する。具体的には、本実施形態における第二出力部３２３は、入力される各種情報のうち、通行券から取得した車種情報や算出した料金情報と、第二操作部３１で入力された貨幣の金額情報と、を第二制御処理情報Ｄ２０として上位制御部４０に送る。
【００５７】
第二処理部３３は、第二制御部３２から指示された制御処理の情報に基づいて、料金収受に関する処理として、利用者から収受員が受け取った貨幣を収納する引き出しを開放したり、挿入された通行券やクレジットカードを内部に引き込んで読み取り処理を行ったりする。第二処理部３３は、通行券やクレジットカードの読み取り処理をする場合には、第二制御部３２に対して読み取った情報を出力する。
なお、第二処理部３３は、貨幣等を収納する引き出し等を有していることに限定されるものではない。即ち、単純に棚のような収納具を横に配置しておき、受け取った貨幣を収受員によって、ブース１０内で棚の中に硬貨等を収容したり、釣銭として取りやすいように棚の上に並べたりしてもよい。
【００５８】
上位制御部４０は、第一操作情報Ｄ１及び第一制御処理情報Ｄ１０や、第二操作情報Ｄ２及び第二制御処理情報Ｄ２０をそれぞれ受信可能となっている。本実施形態の上位制御部４０は、ブース１０から離れた遠隔地にある料金所事務所Ｏに設けられている。本実施形態における料金所事務所Ｏは、出口料金所からも遠く離れた場所に設けられている。上位制御部４０は、受信した料金自動収受機２０からの各種情報と料金処理機３０からの各種情報とをまとめて管理している。具体的には、上位制御部４０は、料金自動収受機２０の第一出力部２３３から第一操作情報Ｄ１及び第一制御処理情報Ｄ１０が入力される第一上位入力部４１と、料金処理機３０の第二出力部３２３から第二操作情報Ｄ２及び第二制御処理情報Ｄ２０が入力される第二上位入力部４２とを有している。上位制御部４０は、第一上位入力部４１から出力された情報を受け付けて取りまとめて管理する第一管理部４３と、第二上位入力部４２から出力された情報を受け付けて取りまとめて管理する第二管理部４４とを有している。上位制御部４０は、第一管理部４３及び第二管理部４４において管理された情報をまとめて管理する上位管理部４５と、上位管理部４５で管理されている情報を記憶する上位記憶部４６と、上位記憶部４６に記憶されている情報を料金所事務所Ｏの監視員等に表示する上位表示部４７とを有している。
【００５９】
第一上位入力部４１は、料金所事務所Ｏと離れたブース１０内に設けられた料金自動収受機２０の第一出力部２３３から送られた第一操作情報Ｄ１及び第一制御処理情報Ｄ１０を受け付ける。第一上位入力部４１は、受け付けた第一操作情報Ｄ１及び第一制御処理情報Ｄ１０を第一管理部４３に出力する。
【００６０】
第二上位入力部４２は、料金所事務所Ｏと離れたブース１０内に設けられた料金処理機３０の第二出力部３２３から送られた第二操作情報Ｄ２及び第二制御処理情報Ｄ２０を受け付ける。第二上位入力部４２は、受け付けた第二操作情報Ｄ２及び第二制御処理情報Ｄ２０を第二管理部４４に出力する。
【００６１】
第一管理部４３は、第一上位入力部４１で受け付けた第一操作情報Ｄ１及び第一制御処理情報Ｄ１０が入力される。第一管理部４３は、入力された第一操作情報Ｄ１及び第一制御処理情報Ｄ１０に基づいて演算を行い、料金自動収受機２０によって処理された料金所通行の料金収受に関する処理情報を求めて管理する。具体的には、本実施形態における第一管理部４３は、料金自動収受機２０を利用した車両Ｃの車種情報、料金情報、通過台数情報を管理している。第一管理部４３は、料金自動収受機２０において行われた料金所通行の料金収受に関する処理情報を料金自動収受機処理情報Ｄ１１として上位管理部４５に出力する。
【００６２】
第二管理部４４は、第一管理部４３と同様に、第二上位入力部４２に入力された第二操作情報Ｄ２及び第二制御処理情報Ｄ２０に基づいて演算を行い、料金処理機３０によって処理された料金所通行の料金収受に関する処理情報を求めて管理する。具体的には、本実施形態における第二管理部４４は、料金処理機３０を利用した車両Ｃの車種情報、料金情報、通過台数情報を管理している。第二管理部４４は、料金処理機３０において行われた料金所通行の料金収受に関する処理情報を料金処理機処理情報Ｄ２１として上位管理部４５に出力する。
【００６３】
上位管理部４５は、第一管理部４３から入力された料金自動収受機処理情報Ｄ１１と、第二管理部４４から入力された料金処理機処理情報Ｄ２１とに基づいて演算し、料金所設備１として全体で処理された料金所通行に関する料金収受に関する処理情報を求めて管理する。具体的には、本実施形態における上位管理部４５は、料金所設備１を利用した車両Ｃの車種情報、料金情報、通過台数情報をまとめて管理する。上位管理部４５は、料金所設備１として全体で行われた料金所通行に関する料金収受に関する処理情報を全体処理情報Ｄ３０として上位記憶部４６に出力する。
【００６４】
上位記憶部４６は、上位管理部４５から入力された全体処理情報Ｄ３０を記憶する。
上位表示部４７は、上位記憶部４６に記憶されている全体処理情報Ｄ３０を料金所事務所Ｏの監視員等に表示する。
【００６５】
次に、第一実施形態の構成の料金所設備１の作用について説明する。
上記のような第一実施形態の料金所設備１は、料金自動収受機２０が使用可能な状態の場合、第一走行レーンＬ１上を通行する車両Ｃが筐体２１の前方に停車し、車両Ｃの運転手等の利用者により車両Ｃの車種に応じて筐体２１の上段又は下段の通行券挿入口２２０ｃに通行券が挿入される。通行券挿入口２２０ｃに通行券が挿入されると、第一操作部２２である通行券挿入口２２０ｃに設けられた不図示のセンサが通行券の挿入を検出し、第一制御部２３の通行券制御部２３１及び第一出力部２３３にこの情報を送る。
【００６６】
情報を受け付けた通行券制御部２３１は、第一処理部２４の通行券処理部２４１に対して通行券の情報を読み取るように指示を送る。指示を受けた通行券処理部２４１は、不図示の搬送路を介して通行券を筐体２１の内部に引き込んで、通行券の磁気情報を読み取る。通行券処理部２４１は、読み取った磁気情報を通行券制御部２３１に出力する。磁気情報を受け付けた通行券制御部２３１は、磁気情報から利用者の車両Ｃの車種情報や利用者の車両Ｃが通行してきた通行距離に関する情報を取得する。
【００６７】
そして、通行券制御部２３１は、取得した車種情報や通行距離に関する情報に基づいて、利用者が料金所を通行するために支払うべき料金の料金情報を算出する。取得した車種情報や算出した料金情報は、通行券制御部２３１から第一出力部２３３に送られる。第一出力部２３３は、入力された料金情報を料金表示部２５に送り、利用者に対して表示して通知する。
【００６８】
利用者に対して料金情報が料金表示部２５を介して通知されると、利用者は、料金を支払うために料金自動収受機２０の第一処理口２２０である紙幣挿入口２２０ａに紙幣または硬貨投入口２２０ｄに硬貨を投入する。紙幣挿入口２２０ａに紙幣が挿入されると、紙幣挿入口２２０ａに設けられた不図示のセンサが紙幣の挿入を検出し、貨幣制御部２３２及び第一出力部２３３にこの情報を送る。同様に、硬貨投入口２２０ｄに硬貨が投入されると、硬貨投入口２２０ｄに設けられた不図示のセンサが硬貨の投入を検出し、貨幣制御部２３２及び第一出力部２３３にこの情報を送る。
【００６９】
情報を受け付けた貨幣制御部２３２は、紙幣処理部２４２ａまたは硬貨処理部２４２ｂに対して貨幣の種類に応じて枚数を計数するように指示を送る。指示を受けた紙幣処理部２４２ａは、不図示の搬送路を介して紙幣を筐体２１の内部に引き込んで、紙幣の種類ごとの枚数を計数して、取得した枚数や種類である紙幣の情報を貨幣制御部２３２へ出力する。同様に、指示を受けた硬貨処理部２４２ｂは、投入された硬貨の種類ごとに枚数を計数して、取得した枚数や種類である硬貨の情報を貨幣制御部２３２へ出力する。紙幣の情報や硬貨の情報を受け付けた貨幣制御部２３２は、利用者によって投入された紙幣と硬貨の合計金額を金額情報として算出する。
【００７０】
そして、貨幣制御部２３２は、算出した金額情報と通行券の磁気情報より算出した料金情報とを比較して、差額が生じる場合には、釣銭用の紙幣や硬貨を払い出すように紙幣処理部２４２ａや硬貨処理部２４２ｂに必要に応じて指示を送る。指示を受けた紙幣処理部２４２ａや硬貨処理部２４２ｂは、利用者に対して釣銭として貨幣を返却する。また、算出した金額情報は、貨幣制御部２３２から第一出力部２３３にも送られる。第一出力部２３３は、入力された金額情報を料金表示部２５に送り、利用者に対して表示して通知する。
【００７１】
利用者による料金自動収受機２０の操作が終わると、第一出力部２３３は、第一操作部２２から入力された第一操作情報Ｄ１及び通行券制御部２３１や貨幣制御部２３２から入力された情報である第一制御処理情報Ｄ１０を料金所設備１から離れた料金所事務所Ｏにある上位制御部４０の第一上位入力部４１に送る。第一上位入力部４１は、受け付けた第一操作情報Ｄ１及び第一制御処理情報Ｄ１０を第一管理部４３に入力する。第一管理部４３は、第一操作情報Ｄ１や第一制御処理情報Ｄ１０に基づいて、料金自動収受機２０において行われた料金所通行の料金収受に関する処理情報を料金自動収受機処理情報Ｄ１１として求める。第一管理部４３は、求めた料金自動収受機２０情報を上位管理部４５に出力する。
【００７２】
一方、料金自動収受機２０が故障等により使用できない場合、収受員は、遠隔地である料金所事務所Ｏから第二操作部３１を有する料金処理機３０で用いる紙幣や硬貨をブース１０内に運び入れて、料金所通行に関する料金収受処理を料金自動収受機２０に代わって利用者に対して行う。第一走行レーンＬ１上を通行する車両Ｃはブース１０の開口部１１の前方に停車して車両Ｃの運転手等の利用者により、通行券がブース１０内の収受員に手渡される。収受員は、通行券を受け取ると、通行券を料金処理機３０の対応する処理口に挿入して第二操作部３１を操作する。第二操作部３１が操作されると、第二制御部３２の料金制御部３２２及び第二出力部３２３に通行券が挿入されたことを検出した情報である第二操作情報Ｄ２が入力される。第二操作情報Ｄ２が入力された第二制御部３２は、第二処理部３３に対して通行券の磁気情報を読み取るよう指示を送る。第二制御部３２から指示を受けた第二処理部３３は、通行券の磁気情報を読み取って料金制御部３２２に出力する。磁気情報を受け付けた料金制御部３２２は、磁気情報から利用者の車両Ｃの車種情報や利用者の車両Ｃが通行してきた通行距離に関する情報を取得する。
【００７３】
そして、料金制御部３２２は、取得した車種情報や通行距離に関する情報に基づいて、利用者が料金所を通行するために支払うべき料金の料金情報を算出する。取得した車種情報や算出した料金情報は、料金制御部３２２から第二出力部３２３に送られる。第二出力部３２３は、入力された料金情報を不図示に表示装置に送り、収受員や利用者に対して表示して通知する。
【００７４】
通知を確認した収受員は利用者に対して、料金情報を伝えて利用者から料金所を通行するための紙幣や硬貨を受け取る。紙幣や硬貨を受け取った収受員は、第二操作部３１によって受け取った金額を入力する。第二操作部３１によって入力された金額情報は料金制御部３２２に入力される。また、第二操作部３１に入力された金額情報は、第二出力部３２３にも送られる。
【００７５】
そして、料金制御部３２２は、入力された金額情報と通行券の磁気情報より算出した料金情報とを比較して、差額が生じる場合には、差額を表示装置に表示して収受員に対して通知する。料金制御部３２２は、第二処理部３３に信号を送って、硬貨や紙幣を収納する引き出しを開放する。開放された引き出しに収受員は受け取った貨幣を収納するとともに、利用者に返却する釣銭用の紙幣や硬貨を取り出す。
【００７６】
収受員による料金処理機３０の操作が終わると、第二出力部３２３は、第二操作部３１から入力された第二操作情報Ｄ２及び料金制御部３２２から入力された情報である第二制御処理情報Ｄ２０を料金所設備１から離れた料金所事務所Ｏにある上位制御部４０の第二上位入力部４２に送る。第二上位入力部４２は、受け付けた第二操作情報Ｄ２及び第二制御処理情報Ｄ２０を第二管理部４４に入力する。第二管理部４４は、第二操作情報Ｄ２や第二制御処理情報Ｄ２０に基づいて、料金処理機３０において行われた料金所通行の料金収受に関する処理情報を料金処理機処理情報Ｄ２１として求める。第二管理部４４は、求めた料金処理機処理情報Ｄ２１を上位管理部４５に出力する。
【００７７】
上位管理部４５は、第一管理部４３から出力された料金自動収受機処理情報Ｄ１１と、第二管理部４４から出力された料金処理機処理情報Ｄ２１とに基づいて、料金所設備１として全体で行われた料金所通行の料金収受に関する処理情報を求める。具体的には、上位管理部４５は、料金自動収受機２０で処理された車両Ｃの車種情報や料金情報や第一操作情報Ｄ１と、料金処理機３０で処理された車両Ｃの車種情報や料金情報や第二操作情報Ｄ２とをまとめて演算して、料金所設備１として処理した処理情報を全体処理情報Ｄ３０として求める。上位管理部４５は、演算して求めた全体処理情報Ｄ３０を上位記憶部４６に入力して、上位記憶部４６に記憶させる。上位記憶部４６は、記憶した全体処理情報Ｄ３０を上位表示部４７に出力することで、料金所から離れた料金所事務所Ｏにいる監視員に対して料金所設備１で処理した処理情報を通知する。
【００７８】
上記のような料金所設備１によれば、料金自動収受機２０の第一操作部２２が操作された情報である第一操作情報Ｄ１と、料金処理機３０の第二操作部３１が操作された情報である第二操作情報Ｄ２とが、それぞれ第一出力部２３３及び第二出力部３２３を介して上位制御部４０の第一上位入力部４１及び第二上位入力部４２に入力される。入力された第一操作情報Ｄ１及び第二操作情報Ｄ２が上位管理部４５において料金所設備１として処理した処理情報として管理されることで、異なる操作部で操作された処理内容を上位制御部４０によって一元管理することができる。例えば、料金自動収受機２０によって処理した貨幣の金額と、その後１、収受員によって料金処理機３０で処理した貨幣の金額との合計が料金所設備３０全体として処理した金額と比較して正しいか否か等を確認する必要がある。一方、上記料金設備１によれば、第一操作部２２と第二操作部３１とで別々に操作した内容を、上位制御部４０において料金所設備１全体として一括して容易に確認することができる。そのため、異なる操作部にて操作した内容をそれぞれ確認したうえで、全体として整合がとれているか否かの確認をとる作業が不要となり、交替時の管理者である収受員や監視者の負担を容易に低減することができる。
【００７９】
また、第一操作情報Ｄ１及び第二操作情報Ｄ２だけでなく、第一操作部２２や第二操作部３１による操作に基づいて、実際に料金自動収受機２０や料金処理機３０にて料金所通行に関する制御処理を行った処理情報を第一制御処理情報Ｄ１０や第二制御処理情報Ｄ２０として取得することで、料金所設備１を利用した車両Ｃの車種情報や料金情報、通過台数情報等のより多くの情報を取得することができる。したがって、料金所設備１全体として処理した処理情報について詳細に整合をとることができる。これにより、料金所設備１としての処理内容を容易に把握することができ、交替時の管理者である収受員や監視者の負担を容易により低減することができる。
【００８０】
さらに、料金機械である料金自動収受機２０が第一操作部２２を備えていることで、料金所設備１では無人による料金収受を行うことができる。そして、料金自動収受機２０が故障した場合には、ブース１０内で操作者である収受員によって料金処理機３０の第二操作部３１を操作することで、料金所設備１が設けられた第一走行レーンＬ１を閉鎖することなく継続して利用者に料金所を利用させることができる。したがって、料金自動収受機２０を利用している間は、収受員が料金収受に関する処理業務を行う必要が無くなり、収受員の作業負担を軽減できる。加えて、料金自動収受機２０が故障した場合であっても、利用者の利便性が低下してしまうことを軽減できる。
【００８１】
また、料金自動収受機２０がブース１０内にあることで、第二操作部３１を有する料金処理機３０を操作する収受員と近い位置に配置されることとなる。そのため、故障中に料金自動収受機２０の第一操作部２２の前方に利用者が車両Ｃを誤って止めてしまったとしても、再度車両Ｃを移動させることなく、収受員が利用者に対して料金収受を行うことができる。そのため、利用者の利便性を向上させることができる。加えて、料金機械である料金自動収受機２０がブース１０内に設けられつつも、第一操作部２２が配置されている筐体２１の前面２１ａが第一走行レーンＬ１に露出していることで、第一走行レーンＬ１を通行する車両Ｃに搭乗している利用者が料金自動収受機２０を利用する場合に妨げとなることを防止できる。
【００８２】
《第二実施形態》
次に、図４から図５を参照して第二実施形態の料金所設備１について説明する。
第二実施形態においては第一実施形態と同様の構成要素には同一の符号を付して詳細な説明を省略する。この第二実施形態の料金所設備１は、料金自動収受機２０の側面２１ｂから貨幣を入金または出金することが可能な点について第一実施形態と相違する。
【００８３】
即ち、第二実施形態の料金自動収受機２０は、筐体２１の側面２１ｂに配置される入出金操作部５１と、入出金操作部５１を操作することによって入力されて入力情報に基づいて貨幣の入金または出金に関する制御処理を行う入出金制御部５２と、第一走行レーンＬ１を通行する車両Ｃに対して第一操作部２２を遮蔽することが可能な遮蔽部６０とを備えている。
【００８４】
入出金操作部５１は、図４に示すように、筐体２１の第一走行レーンＬ１を通行する車両Ｃの進行方向に対して奥側の側面２１ｂに配置されている。即ち、入出金操作部５１は、料金自動収受機２０において料金処理機３０と対向する側であって、操作者である収受員と対向する側の側面２１ｂに配置されている。入出金操作部５１は、収受員が貨幣処理部２４２から任意の金額の貨幣を入金または出金する操作が可能となっている。入出金操作部５１は、収受員によって操作される入出金操作部本体５１１と、収受員に対して入出金に関する情報を通知する入出金表示部５１２と、入出金操作部本体５１１での操作結果に基づいて、貨幣処理部２４２から貨幣が払い出される出金口５１３と、貨幣を貨幣処理部２４２に入金するための入金口５１４とを有している。
【００８５】
入出金操作部本体５１１は、筐体２１の第一走行レーンＬ１の前後方向の前方側である有人収受時の操作者である収受員側の側面２１ｂに設けられている。入出金操作部本体５１１は、料金自動収受機２０から入金または出金する任意の貨幣の金額を収受員が入力するための入力部である。本実施形態における入出金操作部本体５１１は、例えば、テンキーのような数字入力用のキーボードであり、他にも硬貨や紙幣の種類を選択するキーを有している。入出金操作部本体５１１は、入力された金額や貨幣の種類の情報である入出金情報Ｄ４を入出金制御部５２に出力する。
【００８６】
入出金表示部５１２は、収受員が入出金操作部５１で入力した貨幣の金額等の入出金情報Ｄ４を確認するための表示画面である。入出金表示部５１２は、筐体２１の側面２１ｂに入出金操作部本体５１１に隣接して設けられる。
【００８７】
出金口５１３は、料金自動収受機２０の貨幣処理部２４２から出金される貨幣を収受員が受け取るための処理口である。即ち、出金口５１３は、不図示の搬送路を介して筐体２１の内部の貨幣処理部２４２に接続されている。本実施形態の出金口５１３は、筐体２１の側面２１ｂに入出金操作部本体５１１や入出金表示部５１２の下方に隣接して設けられる。
【００８８】
入金口５１４は、料金自動収受機２０の貨幣処理部２４２に対して入金する貨幣を収受員が受け渡すための処理口である。即ち、入金口５１４は、不図示の搬送路を介して筐体２１の内部の貨幣処理部２４２に接続されている。本実施形態の入金口５１４は、筐体２１の側面２１ｂに入出金操作部本体５１１や入出金表示部５１２の上方に隣接して設けられる。
【００８９】
入出金制御部５２は、図５に示すように、入出金操作部５１の入出金操作部本体５１１が操作されて入力された入力情報に基づいて、貨幣処理部２４２に対して入金または出金に関する制御処理を行う。入出金制御部５２は、制御処理した情報を入出金制御処理情報Ｄ４０として上位制御部４０ａに出力する。入出金制御部５２は、入出金操作部本体５１１で収受員に入力された入出金情報Ｄ４に基づいて制御処理を行う入出金貨幣制御部５２１と、入出金情報Ｄ４や入出金制御部５２で行われた制御情報が入力される入出金出力部５２２とを有している。
【００９０】
入出金貨幣制御部５２１は、入出金操作部本体５１１において収受員に入力された入出金情報Ｄ４に基づいて、入金または出金に関する制御処理として、入力された金額や種類に対応する硬貨や貨幣を受け取って収めたり払い出したりするように貨幣処理部２４２に対して指示を出す。入出金貨幣制御部５２１は、貨幣処理部２４２によって処理されて実際に受け取って収めた貨幣の情報や払い出された貨幣の情報を取得する。入出金貨幣制御部５２１は、取得した貨幣の情報を入出金出力部５２２に対して出力する。
【００９１】
入出金出力部５２２は、料金自動収受機２０において行われた入金または出金に関する処理の処理情報として、実際に受け取って収めた貨幣の情報や払い出された貨幣の情報である入出金制御処理情報Ｄ４０と、入出金操作部５１の入出金情報Ｄ４とを上位制御部４０ａに出力する。
【００９２】
遮蔽部６０は、筐体２１の前面２１ａであって、第一操作部２２の上段操作部及び下段操作部のそれぞれ上方に設けられている。遮蔽部６０は、軸となるパイプに内蔵させたスプリングによって幕を巻き取らせることで、幕を上下に引き出すことが可能なロールスクリーン式のスクリーンである。遮蔽部６０には、第一走行レーンＬ１上を通行する車両Ｃに搭乗する利用者に向かって、幕に「故障中」との文字が印刷されている。
【００９３】
また、料金自動収受機２０の入出金操作部５１や入出金制御部５２に対応して、第二実施形態の料金所設備１の上位制御部４０ａは、料金自動収受機２０の入出金出力部５２２から入出金情報Ｄ４及び入出金制御処理情報Ｄ４０が入力される入出金上位入力部４８と、入出金上位入力部４８に入力された情報を取りまとめて管理する入出金管理部４９と、を有している。さらに上位制御部４０ａの上位管理部４５ａは、第一管理部４３及び第二管理部４４において管理された情報だけでなく、入出金管理部４９において管理された情報も入力されてまとめて管理する。
【００９４】
入出金上位入力部４８は、料金所事務所Ｏと離れたブース１０内に設けられた料金自動収受機２０の入出金出力部５２２から送られた入出金情報Ｄ４及び入出金制御処理情報Ｄ４０を受け付ける。入出金位入力部は、受け付けた入出金情報Ｄ４及び入出金制御処理情報Ｄ４０を入出金管理部４９に出力する。
【００９５】
入出金管理部４９は、入出金上位入力部４８が受け付けた入出金情報Ｄ４及び入出金制御処理情報Ｄ４０が入力される。入出金管理部４９は、入力された入出金情報Ｄ４及び入出金制御処理情報Ｄ４０に基づいて演算を行い、料金自動収受機２０において行われた入金または出金に関する処理情報を求めて管理する。具体的には、本実施形態における入出金管理部４９は、入出金操作部５１に入力された入出金情報Ｄ４と、実際に料金自動収受機２０から収受員に払い出された貨幣や収受員から収納された貨幣の情報とを管理している。入出金管理部４９は、料金自動収受機２０において行われた入金または出金に関する処理情報を料金自動収受機入出金情報Ｄ４１として上位管理部４５ａに出力する。ここでいう料金自動収受機入出金情報Ｄ４１とは、料金自動収受機２０を介して利用者との間でやり取りをした貨幣の情報ではなく、収受員との間でやり取りをした貨幣の情報である。
【００９６】
上位管理部４５ａは、料金自動収受機処理情報Ｄ１１と、料金処理機処理情報Ｄ２１とに加えて、入出金管理部４９から入力された料金自動収受機入出金情報Ｄ４１に基づいて演算し、料金所設備１として全体で行われた料金所通行に関する料金収受に関する処理情報を求めて管理する。
【００９７】
次に、第二実施形態の構成の料金所設備１の作用について説明する。
上記のような第二実施形態の料金所設備１では、料金自動収受機２０が第一操作部２２の下段操作部が故障等により使用できない場合、収受員は、遠隔地である料金所事務所Ｏから料金処理機３０にて用いる紙幣や硬貨は持ち込まずに、ブース１０内にやってくる。そして、収受員は、第一操作部２２の下段操作部の上方に設けられた遮蔽部６０を引き出して第一操作部２２の下段操作部を遮蔽し、遮蔽部６０に印刷された「故障中」との文字が第一走行レーンＬ１上を通行する利用者に見えるようにする。その後、ブース１０内で収受員は料金自動収受機２０の側面２１ｂに設けられた入出金操作部５１を操作して、料金自動収受機２０から貨幣を引き出す。
【００９８】
具体的には、収受員は、第二操作部３１を有する料金処理機３０を使用して料金所通行の料金収受に関する処理を行うために必要な貨幣の金額と種類とを入出金操作部５１の入出金操作部本体５１１に入力する。入出金操作部本体５１１に貨幣の金額と種類とが入力されると、出金する貨幣の情報が入出金貨幣制御部５２１と入出金出力部５２２とに入力される。出金する貨幣の情報が入力された入出金貨幣制御部５２１は、貨幣処理部２４２である紙幣処理部２４２ａまたは硬貨処理部２４２ｂに対して、出金する貨幣の情報に対応する種類及び枚数の貨幣枚数を払い出すように指示を送る。指示を受けた紙幣処理部２４２ａ及び硬貨処理部２４２ｂでは、不図示の搬送路を介して出金口５１３に紙幣や硬貨を払い出す。入出金出力部５２２は、出金口５１３に紙幣や硬貨が払い出されると、入出金操作部本体５１１から入力された出金する貨幣の情報である入出金情報Ｄ４と、実際に貨幣処理部２４２を介して出金口５１３に払い出された貨幣の情報である入出金制御処理情報Ｄ４０とを入出金上位入力部４８に送る。収受員は、出金口５１３に払い出された貨幣を用いて、利用者に対してブース１０内で料金処理機３０の第二操作部３１を操作して料金所通行の料金収受に関する処理を行う。
【００９９】
また、料金自動収受機２０が修理されて再び使用できるようになり、収受員がブース１０内から出て行く場合、収受員は料金処理機３０で使用していた貨幣を料金自動収受機２０に収める。
【０１００】
具体的には、収受員は、料金処理機３０によって料金収受に関する処理を行った後で、料金処理機３０に残っている貨幣を出金口５１３に収めて、貨幣の金額と種類とを入出金操作部本体５１１に入力する。入出金操作部本体５１１に貨幣の金額と種類とが入力されると、入金される貨幣の情報が入出金貨幣制御部５２１と入出金出力部５２２とに入力される。入金される貨幣の情報が入力された入出金貨幣制御部５２１は、貨幣処理部２４２である紙幣処理部２４２ａまたは硬貨処理部２４２ｂに対して、入金される貨幣の情報に対応する種類及び枚数の貨幣枚数を収めるように指示を送る。指示を受けた紙幣処理部２４２ａ及び硬貨処理部２４２ｂでは、不図示の搬送路を介して出金口５１３に収められた紙幣や硬貨を収納する。入出金出力部５２２は、出金口５１３の紙幣や硬貨が収められると、入出金操作部本体５１１から入力された貨幣の情報である入出金情報Ｄ４と、実際に貨幣処理部２４２を介して出金口５１３から収納された貨幣の情報である入出金制御処理情報Ｄ４０とを入出金上位入力部４８に送る。
【０１０１】
入出金上位入力部４８は、入出金操作部５１で入力された入金される貨幣の情報や出金する貨幣の情報である入出金情報Ｄ４と、実際に収められたまたは払い出された貨幣の情報である入出金制御処理情報Ｄ４０とを入出金管理部４９に入力する。
入出金管理部４９は、入出金情報Ｄ４及び入出金制御処理情報Ｄ４０に基づいて、料金自動収受機２０において行われた入出金に関する処理情報を料金自動収受機入出金情報Ｄ４１として求めて管理する。入出金管理部４９は、求めた料金自動収受機２０情報を上位管理部４５ａに出力する。
【０１０２】
上位管理部４５ａは、料金自動収受機処理情報Ｄ１１と、料金処理機処理情報Ｄ２１と、入出金管理部４９から出力された料金自動収受機入出金情報Ｄ４１とに基づいて、第二操作情報Ｄ２が不正に操作されて入力された入力情報であるか否かを求めて判定する。
【０１０３】
具体的には、上位管理部４５ａは、第一制御処理情報Ｄ１０及び第一操作情報Ｄ１と第二制御処理情報Ｄ２０及び第二操作情報Ｄ２とをまとめて演算して、料金所設備１として処理した処理情報を全体処理情報Ｄ３１として求める。そして、上位管理部４５ａでは、この全体処理情報Ｄ３１と、料金自動収受機入出金情報Ｄ４１と比較する。より具体的には、上位管理部４５ａでは、収受員が料金処理機３０の第二操作部３１を操作して料金収受に関する処理を行う前に料金自動収受機２０から引き出した金額と、料金処理機３０によって料金収受に関する処理を行った後に料金自動収受機２０に収めた金額とにずれが生じているか否かを判定することで、第二操作部３１によって操作された第二操作情報Ｄ２に誤りがある否かを確認する。ずれが生じている場合には、第二操作情報Ｄ２に誤りがあるため、料金所事務所Ｏにいる監視員に対して収受員が第二操作部３１で行った料金収受に関する処理を精査するよう上位管理部４５ａから上位表示部４７に通知する。逆に、ずれが生じていない場合には、第二操作情報Ｄ２に誤りがないため、監視員に対して収受員が第二操作部３１で行った料金収受に関する処理に問題ない旨を上位管理部４５ａから上位表示部４７に通知する。
【０１０４】
また、上位管理部４５ａは、演算して求めた全体処理情報Ｄ３１及び料金自動収受機入出金情報Ｄ４１を上位記憶部４６に入力して、上位記憶部４６に記憶させる。上位記憶部４６は、記憶した全体処理情報Ｄ３１を上位表示部４７に出力することで、料金所から離れた料金所事務所Ｏにいる監視員に対して料金所設備１で処理した処理情報を通知する。
【０１０５】
上記のような料金所設備１によれば、ブース１０内で第二操作部３１を有する料金処理機３０を利用して収受員が料金所通行の料金収受に関する操作を行う場合、ブース１０内にある料金自動収受機２０から貨幣を引き出すことで、料金処理機３０で使用する貨幣を確保することができる。そのため、収受員は、事前に料金所事務所Ｏなどのブース１０から遠く離れた場所から料金処理機３０で使用する貨幣を運びこむ必要がなくなる。ブース１０にて処理を行う場合には、釣銭等の貨幣をブース１０外へ収受員が持ち歩くことで紛失、盗難の危険性がある。しかしながら、上記料金所設備では、ブース１０から遠く離れた料金所事務所Ｏからの移動中に貨幣を紛失してしまうリスクを低減することができる。これにより、交替時の管理者である収受員や監視者の負担をより容易に低減することができる。
【０１０６】
また、入出金操作部５１における入出金情報Ｄ４と、第一操作情報Ｄ１及び第二操作情報Ｄ２や第一制御処理情報Ｄ１０及び第二制御処理情報Ｄ２０をまとめて管理することで、料金所設備１として処理した内容が把握でき、収受員が操作する第二操作部３１における操作内容に誤りや不正等の問題がなかったかを容易に検出することができる。
【０１０７】
さらに、筐体２１の前面２１ａに第一操作部２２を遮蔽する遮蔽部６０を有することで、料金自動収受機２０が故障して使用できない場合に、第一走行レーンＬ１を走行する車両Ｃに搭乗している利用者に対して料金自動収受機２０が使用できないことを容易に通知することができる。
また、ロールスクリーン式の遮蔽部６０であるために、料金自動収受機２０が使用可能な状態では、第一操作部２２を遮蔽しない状態に容易にすることができる。これにより、利用者が料金自動収受機２０を使用する場合に利便性を低下させることを防ぐことができる。
【０１０８】
なお、第二実施形態では遮蔽部６０を第一操作部２２の上段操作部と下段操作部とにそれぞれ設けたが、これに限定されるものではなく、例えば、第一操作部２２として一つの遮蔽部６０を有していて、料金自動収受機２０の一部が故障した場合に、第一操作部２２の全体を遮蔽して使用できないようにする構造としてもよい。
【０１０９】
《第三実施形態》
次に、図６から図８を参照して第三実施形態の料金所設備１について説明する。
第三実施形態においては第一実施形態と同様の構成要素には同一の符号を付して詳細な説明を省略する。この第三実施形態の料金所設備１は、第二操作部３１が料金処理機３０ではなく料金自動収受機２０に一体に設けられている点について第一実施形態と相違する。
【０１１０】
即ち、第三実施形態の料金所設備１は、料金処理機３０に設けられた第二操作部３１の代わりに、料金自動収受機２０の側面２１ｂに側面第二操作部７１が設けられている。
第三実施形態の料金所設備１の料金自動収受機２０は、筐体２１の側面２１ｂに配置されて料金収受に関する投入物が投入され、または、料金収受に関する発行物を発行するための第二処理口７１０を有する側面第二操作部７１と、側面第二操作部７１によって操作された情報に基づいて筐体２１の内部で第一処理部２４を利用して料金収受に関する処理を行う側面第二制御部７２と、第二処理口７１０に接続されて、第一処理口２２０から投入物または発行物を搬送する第一搬送路８１に合流される第二搬送路８２と、を備えている。
【０１１１】
側面第二操作部７１は、図６に示すように、筐体２１の第一走行レーンＬ１を通行する有人収受時の操作者である収受員側の側面２１ｂに配置されている。即ち、側面第二操作部７１は、料金自動収受機２０において車両Ｃの進行方向に対して奥側であって、操作者である収受員と対向する側の側面２１ｂに配置されている。側面第二操作部７１は、これらの操作者によって操作された情報を不図示のセンサによって検出して側面第二操作情報Ｄ５として、側面第二制御部７２や上位制御部４０ｂに出力する。本実施形態における側面第二操作部７１は、料金自動収受機２０に対して料金収受に関する投入物として金銭や通行券等が投入され、または料金収受に関する発行物として通行券や領収書を発行する第二処理口７１０を有している。
【０１１２】
第二処理口７１０は、第一操作部２２の第一処理口２２０と同様に、紙幣が挿入または返却される側面紙幣挿入口７１１と、通行券が挿入される側面通行券挿入口７１３と、硬貨の投入を行う側面硬貨投入口７１４と、硬貨の受け取りを行う側面釣銭返却口７１５と、を有している。
【０１１３】
側面硬貨投入口７１４は、筐体２１の前面２１ａから突出する硬貨受皿を有していない点が第一操作部２２の硬貨投入口２２０ｄと異なっている。
側面紙幣挿入口７１１や側面通行券挿入口７１３は、第一処理口２２０から投入物が投入または発行物が発行される方向に沿って、投入物を投入または発行物を発行可能となっている。具体的には、側面紙幣挿入口７１１を例に挙げて、説明する。
【０１１４】
なお、本実施形態における側面紙幣挿入口７１１は、紙幣挿入口２２０ａと同様に、紙幣を挿入する処理口と返却する処理口とが一体に設けられているが、この構造に限定されるものではない。例えば、前面２１ａに設けられる紙幣挿入口や紙幣返却口に対応させて、別々の処理口として設けられていてもよい。
【０１１５】
図８に示すように、第一処理口２２０の紙幣挿入口２２０ａは、紙幣を長方形状の短辺から挿入させて筐体２１の内部に向かって紙幣処理部２４２ａまで紙面左右方向に一直線に搬送する第一搬送路８１に接続されている。
一方、第二処理口７１０の側面紙幣挿入口７１１は、第一処理口２２０の紙幣挿入口２２０ａから挿入された紙幣が第一搬送路８１を搬送される方向である図８の紙面左右方向に沿って、紙幣を挿入可能となっている。即ち、側面紙幣挿入口７１１は、紙幣を長方形状の長辺から挿入させて筐体２１の内部に向かって第一搬送路８１をまで合流させる第二搬送路８２に接続されている。
【０１１６】
第二搬送路８２は、筐体２１の内部で第一搬送路８１と水平面上で交差するように形成されており、第二処理口７１０から挿入された紙幣等の投入物や発行物を第一搬送路８１まで搬送する。第二搬送路８２は、第一搬送路８１に合流後に紙幣の向きを変更する必要が無いように、第一搬送路８１を搬送される紙幣等の投入物または発行物に対して９０度回転した向きで投入物や発行物を搬送する。
【０１１７】
図７に示すように、側面第二制御部７２は、側面第二操作部７１の第二処理口７１０に設けられた不図示のセンサが投入される投入物や発行される発行物を検出することで、検出した第二処理口７１０に対応する第一処理部２４に対して料金所通行の料金収受に関する制御処理を行う。側面第二制御部７２は、制御処理した情報を側面第二制御処理情報Ｄ５０として上位制御部４０ｂに出力する。本実施形態の第二制御部３２は、挿入された通行券に基づいて制御処理を行う側面通行券制御部７２１と、投入された貨幣に基づいて制御処理を行う側面貨幣制御部７２２と、側面通行券制御部７２１や側面貨幣制御部７２２によって行われた制御情報や側面第二操作部７１の側面第二操作情報Ｄ５が入力される側面第二出力部７２３とを有している。
【０１１８】
側面通行券制御部７２１は、第二操作部３１において側面通行券挿入口７１３に通行券が挿入されたことを検出することで、料金収受に関する処理として通行券の磁気情報を読み取るように第一処理部２４の通行券処理部２４１に対して指示する信号を出力する。また、側面通行券制御部７２１は、通行券処理部２４１が通行券から読み取った磁気情報が入力されると、この磁気情報から車種情報や通行距離に関する情報を取得する。側面通行券制御部７２１は、取得したこれらの情報に基づいて利用者が料金所を通行するために支払うべき料金を料金情報として算出する。側面通行券制御部７２１は、取得した車種情報や算出した料金情報を制御情報として側面第二出力部７２３に対して出力する。
【０１１９】
側面貨幣制御部７２２は、第二操作部３１において側面紙幣挿入口７１１に紙幣が挿入されたり、側面硬貨投入口７１４に硬貨が投入されたりすることを検出することで、料金収受に関する処理として貨幣の種類に応じて枚数を計数するように第一処理部２４の貨幣処理部２４２に対して指示を送る。側面貨幣制御部７２２は、貨幣処理部２４２によって処理された貨幣の情報に基づいて、利用者によって投入された貨幣の金額を金額情報として算出する。側面貨幣制御部７２２は、この算出した金額情報と先の側面通行券制御部７２１において算出した料金との差額に基づき、釣銭がある場合に釣銭用の紙幣や硬貨を払い出すように再び貨幣処理部２４２に対して指示を送る。側面貨幣制御部７２２は、算出した金額情報を側面第二出力部７２３に対して出力する。
【０１２０】
側面第二出力部７２３は、入力される各種情報を上位制御部４０ｂに出力するとともに、筐体２１の前面２１ａに設けられた側面料金表示部７３に信号を出力して操作者に対して料金所通行に関する料金等の情報を表示する。側面第二出力部７２３は、側面第二操作部７１での操作によって料金自動収受機２０において行われた料金収受に関する処理の処理情報である側面第二制御処理情報Ｄ５０と、側面第二操作部７１の側面第二操作情報Ｄ５とを上位制御部４０ｂに出力する。具体的には、本実施形態における側面第二出力部７２３は、入力される各種情報のうち、側面通行券制御部７２１で取得した車種情報や算出した料金情報と、側面貨幣制御部７２２で算出した貨幣の金額情報とを側面第二制御処理情報Ｄ５０として上位制御部４０ｂに出力する。
【０１２１】
次に、第三実施形態の構成の料金所設備１の作用について説明する。
上記のような第三実施形態の料金所設備１は、料金自動収受機２０が使用可能な状態の場合には、第一実施形態と同様処理が行われる。
一方、料金自動収受機２０が故障等により使用できない場合、収受員は、遠隔地である料金所事務所Ｏから、紙幣や硬貨は持ち込まずにブース１０内にやってくる。そして、収受員は第一操作部２２の上段操作部及び下段操作部の使用できない側に設けられた遮蔽部６０を引き出して遮蔽し、遮蔽部６０に印刷された「故障中」との文字が第一走行レーンＬ１上を通行する車両Ｃの利用者に見えるようにする。その後、ブース１０内で側面第二操作部７１を利用して、料金所通行の料金収受に関する処理を利用者に対して行う。第一走行レーンＬ１上を通行する車両Ｃはブース１０の開口部１１の前方に停車し車両Ｃの運転手等の利用者により、通行券がブース１０内の収受員に手渡される。収受員は、通行券を受け取ると、通行券を側面通行券挿入口７１３に挿入する。側面通行券挿入口７１３に通行券が挿入されると、側面第二操作部７１である側面通行券挿入口７１３に設けられた不図示のセンサが通行券の挿入を検出する。側面第二操作部７１は、通行券が挿入されたことを検出した情報である側面第二操作情報Ｄ５を側面第二制御部７２の側面通行券制御部７２１及び側面第二出力部７２３に送る。
【０１２２】
側面第二操作情報Ｄ５を受け付けた側面通行券制御部７２１は、第一処理部２４の通行券処理部２４１に対して通行券の磁気情報を読み取るように指示を送る。指示を受けた通行券処理部２４１は、第二搬送路８２を介して通行券を筐体２１の内部に引き込む。そして、通行券は、筐体２１の内部で第二搬送路８２から合流する第一搬送路８１に受け渡されて、通行券処理部２４１に通行券が搬送される。通行券処理部２４１は、通行券の磁気情報を読み取り、読み取った磁気情報を側面通行券制御部７２１に出力する。磁気情報を受け付けた側面通行券制御部７２１は、磁気情報から利用者の車両Ｃの車種情報や利用者の車両Ｃが通行してきた通行距離に関する情報を取得する。
【０１２３】
そして、側面通行券制御部７２１は、取得した車種情報や通行距離に関する情報に基づいて、利用者が料金所を通行するために支払うべき料金の料金情報を算出する。取得した車種情報や算出した料金情報は、側面通行券制御部７２１から側面第二出力部７２３に送られる。側面第二出力部７２３は、入力された料金情報を側面料金表示部７３に送り、収受員や利用者に対して表示して通知する。
【０１２４】
通知を確認した収受員は利用者に対して、料金情報を伝えて利用者から料金所を通行するための紙幣や硬貨を受け取る。収受員は、側面紙幣挿入口７１１に紙幣または側面硬貨投入口７１４に硬貨を投入する。側面紙幣挿入口７１１に紙幣が挿入されると、側面紙幣挿入口７１１に設けられた不図示のセンサが紙幣の挿入を検出し、側面貨幣制御部７２２及び側面第二出力部７２３にこの情報を送る。同様に、側面硬貨投入口７１４に硬貨が投入されると、側面硬貨投入口７１４に設けられた不図示のセンサが硬貨の投入を検出する。側面第二操作部７１は、紙幣または硬貨を検出した情報である側面第二操作情報Ｄ５を側面貨幣制御部７２２及び側面第二出力部７２３に送る。
【０１２５】
側面第二操作情報Ｄ５を受け付けた側面貨幣制御部７２２は、第一処理部２４の紙幣処理部２４２ａまたは硬貨処理部２４２ｂに対して貨幣の種類に応じて枚数を計数するように指示を送る。指示を受けた紙幣処理部２４２ａは、第二搬送路８２を介して紙幣を筐体２１の内部に引き込む。そして、筐体２１の内部で第二搬送路８２と合流する第一搬送路８１に通行券が受け渡されて、紙幣処理部２４２ａに紙幣が搬送される。紙幣処理部２４２ａは、紙幣の種類ごとの枚数を計数して、取得した枚数や種類である紙幣の情報を側面貨幣制御部７２２へ出力する。同様に、指示を受けた硬貨処理部２４２ｂは、投入された硬貨の種類ごとに枚数を計数して、取得した枚数や種類である硬貨の情報を側面貨幣制御部７２２へ出力する。紙幣の情報や硬貨の情報を受け付けた側面貨幣制御部７２２は、利用者の代わりに収受員によって投入された紙幣と硬貨の合計金額を金額情報として算出する。
【０１２６】
そして、側面貨幣制御部７２２は、算出した金額情報と通行券の磁気情報より算出した料金情報とを比較して、差額が生じる場合には、釣銭用の紙幣や硬貨を払い出すように紙幣処理部２４２ａや硬貨処理部２４２ｂに必要に応じて指示を送る。指示を受けた紙幣処理部２４２ａや硬貨処理部２４２ｂは、収受員に対して釣銭として貨幣を返却する。また、算出した金額情報は、側面貨幣制御部７２２から側面第二出力部７２３に送られる。側面第二出力部７２３は、入力された金額情報を側面料金表示部７３に送り、収受員に対して表示して通知する。
【０１２７】
収受員による料金自動収受機２０の操作が終わると、側面第二出力部７２３は、側面第二操作部７１から入力された側面第二操作情報Ｄ５及び通行券制御部２３１や貨幣制御部２３２から入力された料金情報や金額情報である側面第二制御処理情報Ｄ５０を料金所設備１から離れた料金所事務所Ｏにある上位制御部４０ｂの第二上位入力部４２ｂに送る。第二上位入力部４２ｂは、受け付けた側面第二操作情報Ｄ５及び側面第二制御処理情報Ｄ５０を第二管理部４４ｂに入力する。第二管理部４４ｂは、側面第二操作情報Ｄ５や側面第二制御処理情報Ｄ５０に基づいて、料金自動収受機２０を用いて収受員により行われた料金所通行の料金収受に関する処理情報を側面料金自動収受機処理情報Ｄ５１として求める。第二管理部４４ｂは、求めた側面料金自動収受機処理情報Ｄ５１を上位管理部４５ｂに出力する。
【０１２８】
上位管理部４５ｂは、第一管理部４３から出力された料金自動収受機処理情報Ｄ１１と、第二管理部４４ｂから出力された側面料金自動収受機処理情報Ｄ５１とに基づいて、料金所設備１として全体で行われた料金所通行の料金収受に関する処理情報を求める。具体的には、上位管理部４５ｂは、料金自動収受機２０の前面２１ａの第一操作部２２で処理された車両Ｃの車種情報や料金情報や第一操作情報Ｄ１と、料金自動収受機２０の側面第二操作部７１で処理された車両Ｃの車種情報や料金情報や第二操作情報Ｄ２とをまとめて演算して、料金自動収受機２０全体として処理した処理情報を料金所設備１全体と処理した情報である全体処理情報Ｄ３２として求める。上位管理部４５ｂは、演算して求めた全体処理情報Ｄ３２を上位記憶部４６に入力して、上位記憶部４６に記憶させる。上位記憶部４６は、記憶した全体処理情報Ｄ３２を上位表示部４７に出力することで、料金所から離れた料金所事務所Ｏにいる監視員に対して料金所設備１で処理した処理情報を通知する。
【０１２９】
上記のような料金所設備１によれば、第二操作部３１が料金機械である料金自動収受機２０の側面２１ｂに配置されていることで、第一操作部２２が設けられている料金自動収受機２０を共用することができる。即ち、第二操作部３１を有する別の機械を準備する必要が無くなり、料金自動収受機２０を利用することができるため、収受員は事前に料金所事務所Ｏなどのブース１０から遠く離れた場所から料金処理機３０で使用する貨幣を運びこむ必要がなくなる。ブース１０にて処理を行う場合には、釣銭等の貨幣をブース１０外へ収受員が持ち歩くことで紛失、盗難の危険性がある。しかしながら、上記料金所設備では、ブース１０から遠く離れた料金所事務所Ｏからの移動中に貨幣を紛失してしまうリスクを低減することができる。これにより、交替時の管理者である収受員や監視者の負担をより容易に低減することができる。
また、第二操作部３１を設けるために、料金処理機３０との別の装置を設置する必要がなくなり、設置費用の軽減や設置スペースの縮小を図ることができる。
【０１３０】
また、料金自動収受機２０の筐体２１の側面２１ｂに配置された第二操作部３１を収受員は操作しているため、筐体２１の前面２１ａに設けられている第一操作部２２も手を伸ばすだけでブース１０内から出ることなく収受員が利用することができる。したがって、クレジットカードや領収書等の利用頻度の低い投入物や発行物のための処理口を第二処理口７１０としてわざわざ設けなくとも、第一処理口２２０として設けられているカード挿入口２２０ｆや領収書発行口２２０ｇを利用することで、利用者に対して料金収受に関する処理を行うことができる。これにより、筐体２１の側面２１ｂに第二操作部３１を設ける設置負担を低減することができる。
【０１３１】
さらに、第二操作部３１の第二処理口７１０から投入される投入物や発行される発行物の投入または発行される方向が、第一搬送路８１を搬送される方向に沿っていることで、投入物や発行物を第一搬送路８１に第二搬送路８２を介して向きを変更させることなく容易に合流させることができる。例えば、本実施形態において紙幣を処理する場合、第二処理口７１０である側面紙幣挿入口７１１では、筐体２１の前面２１ａに向けられた第一処理口２２０から挿入される向きに対して９０度水平回転させて向きで紙幣が挿入される。そのため、第一搬送路８１に合流する第二搬送路８２を側面紙幣挿入口７１１に接続させることで、第一搬送路８１を利用して紙幣処理部２４２ａを容易に共通使用することができる。したがって、複雑な搬送経路を形成しなくとも、第一処理部２４を容易に共用化することができる。これにより、筐体２１の側面２１ｂに第二操作部３１を設ける設置負担をより一層低減することができる。
【０１３２】
なお、第三実施形態では筐体２１の前面２１ａから第一操作部２２を介して処理された処理情報と筐体２１の側面２１ｂから側面第二操作部７１を介して処理された処理情報とを上位制御部４０ｂでまとめて管理したがこれに限定されるものではない。例えば、料金自動収受機２０における処理情報として第一操作部２２及び側面第二操作部７１を介して処理された処理情報をまとめてから、上位制御部４０ｂに出力してもよい。
【０１３３】
また、第三実施形態では側面第二操作部７１としてカード挿入口２２０ｆや領収書発行口２２０ｇに対応する第二処理口７１０を設けていないが、これに限定されるものではない。即ち、第二処理口７１０として側面２１ｂカード処理口や側面２１ｂ領収書発行口２２０ｇを有していてもよい。
【０１３４】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、特許請求の範囲によってのみ限定される。
【０１３５】
なお、第一操作部２２や第二操作部３１の組み合わせは、第一実施形態から第三実施形態までの組み合わせに限定されるものではない。例えば、第二実施形態の入出金操作部５１が第三実施形態の側面第二操作部７１とともに設けられていてもよく、第三実施形態の側面第二操作部７１が第一実施形態の第二操作部３１を有する料金処理機３０とともに設けられていてもよい。
【０１３６】
さらに、入出金操作部５１や側面第二操作部７１は、一般的に料金自動収受機２０に設けられており、収受員が利用者に呼び出された場合等に料金自動収受機２０を操作するために用いられる簡易監視盤と一体とされていてもよく、別に設けられていてもよい。
【０１３７】
また、第一制御処理情報Ｄ１０や第二制御処理情報Ｄ２０は、本実施形態のように、料金自動収受機２０や料金処理機３０などのブース１０内での情報に限定されるものではない。即ち、車種判別装置等の外部の装置から入力される情報に基づいて処理した情報であってもよい。
さらに、料金機械として本実施形態では料金自動収受機２０としたが、これに限定されるものではない。例えば、有料道路の入口料金所や駐車場に設けられる発券機であってもよい。
【符号の説明】
【０１３８】
Ｉ…アイランド  Ｌ…走行レーン  Ｌ１…第一走行レーン  Ｌ２…第二走行レーン  Ｃ…車両  １…料金所設備  １０…ブース  １１…開口部  １２…設置用凹部  ２０…料金自動収受機  ２１…筐体  ２１ａ…前面  ２１ｂ…側面  ２２…第一操作部  ２２０…第一処理口  ２２０ａ…紙幣挿入口  ２２０ｃ…通行券挿入口  ２２０ｄ…硬貨投入口  ２２０ｅ…釣銭返却口  ２２０ｆ…カード挿入口  ２２０ｇ…領収書発行口  ２２２…収受員呼び出しボタン  ２２３…領収書発行ボタン  ２２４…身障者レバー  ２２５…証明書カメラ  ２３…第一制御部  ２３１…通行券制御部  ２３２…貨幣制御部  ２３３…第一出力部  ２４…第一処理部  ２４１…通行券処理部  ２４２…貨幣処理部  ２４２ａ…紙幣処理部  ２４２ｂ…硬貨処理部  ２５…料金表示部  ３０…料金処理機  ３１…第二操作部  ３２…第二制御部  ３２２…料金制御部  ３２３…第二出力部  ３３…第二処理部  ４０、４０ａ、４０ｂ…上位制御部  ４１…第一上位入力部  ４２、４２ｂ…第二上位入力部  ４３…第一管理部  ４４、４４ｂ…第二管理部  ４５、４５ａ、４５ｂ…上位管理部  ４６…上位記憶部  ４７…上位表示部  Ｄ１…第一操作情報  Ｄ２…第二操作情報  Ｄ１０…第一制御処理情報  Ｄ２０…第二制御処理情報  Ｄ１１…料金自動収受機処理情報  Ｄ２１…料金処理機処理情報  Ｄ３０、Ｄ３１，Ｄ３２…全体処理情報  Ｏ…料金所事務所  ５１…入出金操作部  ５１１…入出金操作部本体  ５１２…入出金表示部  ５１３…出金口  ５１４…入金口  ５２…入出金制御部  ５２１…入出金貨幣制御部  ５２２…入出金出力部  ４０ａ…上位制御部  ４８…入出金上位入力部  ４９…入出金管理部  ６０…遮蔽部  Ｄ４…入出金情報  Ｄ４０…入出金制御処理情報  Ｄ４１…料金自動収受機入出金情報  ７１…側面第二操作部  ７１０…第二処理口  ７１１…側面紙幣挿入口  ７１２…側面紙幣返却口  ７１３…側面通行券挿入口  ７１４…側面硬貨投入口  ７１５…側面釣銭返却口  ８１…第一搬送路  ８２…第二搬送路  ７２…側面第二制御部  ７２１…側面通行券制御部  ７２２…側面貨幣制御部  ７２３…側面第二出力部  ７３…側面料金表示部  Ｄ５…第二操作情報  Ｄ５０…側面第二制御処理情報  Ｄ５１…側面料金自動収受機処理情報
【図１】
2015135549.tif 000003
【図２】
2015135549.tif 000004
【図３】
2015135549.tif 000005
【図４】
2015135549.tif 000006
【図５】
2015135549.tif 000007
【図６】
2015135549.tif 000008
【図７】
2015135549.tif 000009
【図８】
2015135549.tif 000010